(57)【要約】【課題】簡素な構成で、かつ、低コストでありながら、ロングレールの伸縮を効果的に吸収することができるようにする。【解決手段】互いに隣接する一対のまくらぎのそれぞれに取り付けられるレールブレスとレール支持部材とを備え、まくらぎの一方と他方との間に定尺レールとロングレールとの継目の遊間が位置するように、まくらぎの一方の上に定尺レールが敷設され、まくらぎの他方の上にロングレールが敷設され、まくらぎの一方に取り付けられるレールブレスとレール支持部材とは、互いに対向して配設され、定尺レールを両側から挟持して定尺レールを長手方向に変位不能に支持し、まくらぎの他方に取り付けられるレールブレスとレール支持部材とは、互いに対向して配設され、ロングレールを両側から挟持してロングレールを長手方向に変位可能に支持する。【選択図】図１
2020147935.tif 000002
【特許請求の範囲】
【請求項１】
互いに隣接する一対のまくらぎのそれぞれに取り付けられるレールブレスとレール支持部材とを備え、
前記まくらぎの一方と他方との間に定尺レールとロングレールとの継目の遊間が位置するように、前記まくらぎの一方の上に定尺レールが敷設され、前記まくらぎの他方の上にロングレールが敷設され、
前記まくらぎの一方に取り付けられるレールブレスとレール支持部材とは、互いに対向して配設され、前記定尺レールを両側から挟持して該定尺レールを長手方向に変位不能に支持し、
前記まくらぎの他方に取り付けられるレールブレスとレール支持部材とは、互いに対向して配設され、前記ロングレールを両側から挟持して該ロングレールを長手方向に変位可能に支持することを特徴とするレール支持装置。
【請求項２】
前記レール支持部材は、前記継目の遊間の全範囲に対向して配設された脱線防止ガードを支持する請求項１に記載のレール支持装置。
【請求項３】
前記脱線防止ガードは前記定尺レールに固定されている請求項２に記載のレール支持装置。
【請求項４】
前記レールブレスとレール支持部材とは前記まくらぎの上面に取り付けられる床板に取り付けられ、前記レールブレスは、対向するレール支持部材との間隔が調整可能であるように前記床板に取り付けられる請求項１〜３のいずれか１項に記載のレール支持装置。
【請求項５】
前記床板は、前記一対のまくらぎの両方に跨がって前記まくらぎの上面に取り付けられる請求項４に記載のレール支持装置。
【請求項６】
前記レール支持部材は、前記床板の上面に取り付けられる基板を含み、該基板の先端には前記定尺レール及び／又はロングレールの底部の幅方向の一端を押さえるレール底押部が形成されている請求項４又は５に記載のレール支持装置。
【請求項７】
前記レール底押部は、前記定尺レール及び／又はロングレールの底部の幅方向の一端が進入可能な切欠凹部と、該切欠凹部の上側を覆う庇部とを含む請求項６に記載のレール支持装置。
【請求項８】
前記一対のまくらぎ同士は一体的に連結されている請求項１〜７のいずれか１項に記載のレール支持装置。
【発明の詳細な説明】
【技術分野】
【０００１】
本開示は、レール支持装置に関するものである。
【背景技術】
【０００２】
従来、鉄道の線路、すなわち、軌道は、路床の上の路盤上にまくらぎを並べ、該まくらぎの上にレールを敷設する構造を備える。そして、近年では、乗心地の向上、保守経費の低減等の観点から、複数本のレールを長手方向に溶接して１本にしたロングレールが広く採用されている。なお、ロングレールの場合、温度変化による伸縮量が大きくなるので、レールの端部を先鋭な形状としたトングレールとして、伸縮を吸収可能にした伸縮継目が広く採用されている（例えば、特許文献１参照。）。
【先行技術文献】
【特許文献】
【０００３】
【特許文献１】特開平０７−２９４４５３号公報
【発明の概要】
【発明が解決しようとする課題】
【０００４】
しかしながら、前記従来の技術では、レールの端部を先鋭な形状に加工して得られたトングレールを使用するので、コストが高くなってしまう。
【０００５】
ここでは、前記従来の技術の問題点を解決して、ロングレールと定尺レールとの継目に遊間を設定し、互いに隣接する一対のまくらぎの一方にロングレールを長手方向に変位可能に取り付けるとともに、他方に定尺レールを長手方向に変位不能に取り付けるようにして、簡素な構成で、かつ、低コストでありながら、ロングレールの伸縮を効果的に吸収することができるレール支持装置を提供することを目的とする。
【課題を解決するための手段】
【０００６】
そのために、レール支持装置においては、互いに隣接する一対のまくらぎのそれぞれに取り付けられるレールブレスとレール支持部材とを備え、前記まくらぎの一方と他方との間に定尺レールとロングレールとの継目の遊間が位置するように、前記まくらぎの一方の上に定尺レールが敷設され、前記まくらぎの他方の上にロングレールが敷設され、前記まくらぎの一方に取り付けられるレールブレスとレール支持部材とは、互いに対向して配設され、前記定尺レールを両側から挟持して該定尺レールを長手方向に変位不能に支持し、前記まくらぎの他方に取り付けられるレールブレスとレール支持部材とは、互いに対向して配設され、前記ロングレールを両側から挟持して該ロングレールを長手方向に変位可能に支持する。
【０００７】
他のレール支持装置においては、さらに、前記レール支持部材は、前記継目の遊間の全範囲に対向して配設された脱線防止ガードを支持する。
【０００８】
更に他のレール支持装置においては、さらに、前記脱線防止ガードは前記定尺レールに固定されている。
【０００９】
更に他のレール支持装置においては、さらに、前記レールブレスとレール支持部材とは前記まくらぎの上面に取り付けられる床板に取り付けられ、前記レールブレスは、対向するレール支持部材との間隔が調整可能であるように前記床板に取り付けられる。
【００１０】
更に他のレール支持装置においては、さらに、前記床板は、前記一対のまくらぎの両方に跨がって前記まくらぎの上面に取り付けられる。
【００１１】
更に他のレール支持装置においては、さらに、前記レール支持部材は、前記床板の上面に取り付けられる基板を含み、該基板の先端には前記定尺レール及び／又はロングレールの底部の幅方向の一端を押さえるレール底押部が形成されている。
【００１２】
更に他のレール支持装置においては、さらに、前記レール底押部は、前記定尺レール及び／又はロングレールの底部の幅方向の一端が進入可能な切欠凹部と、該切欠凹部の上側を覆う庇部とを含む。
【００１３】
更に他のレール支持装置においては、さらに、前記一対のまくらぎ同士は一体的に連結されている。
【発明の効果】
【００１４】
本開示によれば、レール支持装置は、ロングレールと定尺レールとの継目に遊間を設定し、互いに隣接する一対のまくらぎの一方にロングレールを長手方向に変位可能に取り付けるとともに、他方に定尺レールを長手方向に変位不能に取り付ける。これにより、簡素な構成で、かつ、低コストでありながら、ロングレールの伸縮を効果的に吸収することができる。
【図面の簡単な説明】
【００１５】
【図１】第１の実施の形態におけるレール支持装置を示す平面図である。
【図２】第１の実施の形態におけるレール支持装置を示す斜視図である。
【図３】第１の実施の形態におけるレール支持装置の断面図である。
【図４】第１の実施の形態におけるレール支持装置の要部拡大図である。
【図５】第１の実施の形態におけるレール支持装置の一部を省略した状態の要部拡大図である。
【図６】第２の実施の形態におけるレール支持装置を示す平面図である。
【図７】第２の実施の形態におけるレール支持装置を示す斜視図である。
【図８】第２の実施の形態におけるレール支持装置の断面図である。
【図９】第３の実施の形態におけるレール支持装置を示す斜視図である。
【発明を実施するための形態】
【００１６】
以下、実施の形態について図面を参照しながら詳細に説明する。
【００１７】
図１は第１の実施の形態におけるレール支持装置を示す平面図、図２は第１の実施の形態におけるレール支持装置を示す斜視図、図３は第１の実施の形態におけるレール支持装置の断面図、図４は第１の実施の形態におけるレール支持装置の要部拡大図、図５は第１の実施の形態におけるレール支持装置の一部を省略した状態の要部拡大図である。なお、図３において、（ａ）は図１におけるＡ−Ａ矢視断面図、（ｂ）は図１におけるＢ−Ｂ矢視断面図であり、図４において、（ａ）は図３におけるＣ部拡大図、（ｂ）は図３におけるＤ部拡大図である。
【００１８】
図において、１１Ａは、鉄道の線路、すなわち、軌道を構成する要素の１つであるレール（軌条）のうちのロングレールであり、１１Ｂは前記レール（軌条）のうちの定尺レールである。該定尺レール１１Ｂは、メーカーから出荷されたレールであって、一般的には長さ（レール長）が２５〔ｍ〕であるが、本実施の形態において、その長さは必ずしも限定される必要はなく、任意に設定することができる。また、前記ロングレール１１Ａは、複数本のレールを長手方向に溶接して１本にしたものであって、一般的には長さ（レール長）が２００〔ｍ〕以上であるが、本実施の形態において、その長さは必ずしも限定される必要はなく、任意に設定することができる。なお、これ以降、ロングレール１１Ａと定尺レール１１Ｂとを統合的に説明する場合には、レール１１として説明する。
【００１９】
本実施の形態におけるレール支持装置は、図１及び２に示されるように、ロングレール１１Ａと定尺レール１１Ｂとの継目に遊間１２が設定された状態で、ロングレール１１Ａと定尺レール１１Ｂとを支持する。レール１１の長手方向に関する前記遊間１２の寸法は、好ましくは、９０〔ｍｍ〕以下であるが、本実施の形態において、その寸法は必ずしも限定される必要はなく、任意に設定することができる。なお、図１及び２において、ロングレール１１Ａ及び定尺レール１１Ｂにおける継目と反対側の部分は、図示が省略されている。
【００２０】
そして、前記ロングレール１１Ａ及び定尺レール１１Ｂは、いわゆる「かけ継目」によって継目部分がまくらぎ１５によって支えられている。すなわち、レール１１の長手方向に並べられた複数本のまくらぎ１５上において、互いに隣接する一対のまくらぎ１５同士の間に前記遊間１２が位置するように敷設され、かつ、前記一対のまくらぎ１５の一方にロングレール１１Ａが長手方向に変位可能に取り付けられるとともに、他方に定尺レール１１Ｂが長手方向に変位不能に取り付けられている。具体的には、前記ロングレール１１Ａ及び定尺レール１１Ｂは、レールブレス２１及びガード支持部材３１を介して、まくらぎ１５に取り付けられる。なお、ここでは、互いに隣接する一対のまくらぎ１５の両方に跨がる大きさの板材である床板４１が両方のまくらぎ１５の上面に取り付けられ、前記レールブレス２１及びガード支持部材３１が床板４１の上面に取り付けられている場合について説明する。すなわち、レールブレス２１及びガード支持部材３１が床板４１を介して、まくらぎ１５に取り付けられているものとして説明する。なお、前記床板４１は、例えば、適所に形成された貫通孔であるボルト孔４３に、図示されない取付ボルトを挿入し、該取付ボルトをまくらぎ１５に螺入して固定することによって、まくらぎ１５の上面に取り付けられる。これにより、前記一対のまくらぎ１５同士は、床板４１を介して、一体化される。
【００２１】
なお、本実施の形態において、レール１１、まくらぎ１５、レールブレス２１、ガード支持部材３１、床板４１等の各部及びその他の部材の構成及び動作を説明するために使用される上、下、左、右、前、後等の方向を示す表現は、絶対的なものでなく相対的なものであり、レール１１、まくらぎ１５、レールブレス２１、ガード支持部材３１、床板４１等の各部及びその他の部材が図に示される姿勢である場合に適切であるが、その姿勢が変化した場合には姿勢の変化に応じて変更して解釈されるべきものである。
【００２２】
前記レールブレス２１は、左右のレール１１の外側に配設されて該レール１１を支持し、前記ガード支持部材３１は、左右のレール１１の外側に配設されて該レール１１を支持するレール支持部材として機能する。なお、前記ガード支持部材３１は、第１義的には、レール１１に沿って接地された脱線防止ガードとしてのガード材１３を支持する部材である。
【００２３】
本実施の形態において、前記ガード材１３は、長手方向の寸法が、少なくとも、ロングレール１１Ａと定尺レール１１Ｂとの継目の遊間１２の寸法よりも大きく、該遊間１２の全範囲と対向するように配設される。また、前記ガード材１３は、レール１１の長手方向に関して、ロングレール１１Ａと反対側の箇所において、図示されないホルダによって定尺レール１１Ｂに固定されているが、ロングレール１１Ａには固定されていない。なお、図２においては、図示の都合上、ガード材１３の描画が省略されている。
【００２４】
前記レールブレス２１は、本体部２２と、押部２４とを有し、さらに、図３及び４に示されるように、前記本体部２２の下面から下方に突出するガイド突起２５を有する。前記押部２４における下端部２４ｂがレール１１における底部１１ｃの上面を押さえ、前記押部２４における先端部２４ａがレール１１における底部１１ｃと頭部１１ａとを結ぶ腹部１１ｂの側面を押さえ、これにより、レール１１を固定する。そして、前記ガイド突起２５は、床板４１に形成されたブレスガイド溝４２内にスライド可能に挿入される。また、前記本体部２２には上面から下面まで貫通するボルトガイド溝２３が形成され、該ボルトガイド溝２３内には、下端が床板４１に固定されたブレスガイドボルト２７が挿入されている。前記ブレスガイド溝４２及びボルトガイド溝２３は、図１に示されるように、互いに平行であり、かつ、レール１１の長手方向に対して傾斜している。したがって、床板４１のレールブレス２１を、前記ブレスガイド溝４２及びボルトガイド溝２３に沿って、レール１１の長手方向にスライドさせることにより、レールブレス２１とレール１１との距離を調整することが可能になる。なお、ブレスガイドボルト２７の上端に螺合されたブレス止ナット２６を締付けることによって、レールブレス２１を所定の位置で床板４１に対して固定することができる。
【００２５】
前記ガード支持部材３１は、平板状の基板３２と、該基板３２の上面に垂直に立設された縦板３３と、該縦板３３の背面と基板３２の上面とを斜めに結ぶように取り付けられた一対の斜交い板３４とを有する。なお、図２においては、図示の都合上、ガード支持部材３１の描画が簡略化されている。そして、図３及び４に示されるように、断面Ｌ字の鋼材から成るガード材１３が、縦板３３における頂部と該頂部近傍の正面とを覆うようにして、ガード支持部材３１に取り付けられて支持される。また、前記基板３２は、図示されないボルト等の固着手段によって床板４１の上面に固定される。
【００２６】
本実施の形態において、前記ガード支持部材３１はレール１１を支持するレール支持部材としても機能するものであり、具体的には、前記基板３２の先端にレール１１の底部１１ｃの幅方向の一端を押さえるレール底押部３２ａが形成されている。該レール底押部３２ａは、図５に示されるように、基板３２の先端の下面側を切欠き状に凹入させた切欠凹部３２ａ１と、該切欠凹部３２ａ１の上側を覆う庇部３２ａ２とを含んでいる。そして、図３及び４に示されるように、床板４１の上面に載置されたレール１１の底部１１ｃにおける幅方向の一端が前記切欠凹部３２ａ１に進入した状態で、基板３２を床板４１の上面に固定することによって、前記切欠凹部３２ａ１に進入した底部１１ｃの先端が庇部３２ａ２により上から押さえ付けられるので、レール１１の底部１１ｃが固定的に支持される。なお、図５に示されるように、床板４１の上面におけるレール１１の底部１１ｃが載置される箇所であるレール載置面４１ａは、床板４１の上面における他の箇所よりも下方に凹入していてもよい。
【００２７】
また、本実施の形態において、互いに隣接する一対のまくらぎ１５のうちの定尺レール１１Ｂ側のまくらぎ１５に床板４１を介して取り付けられたレールブレス２１は、定尺レール１１Ｂとの距離、すなわち、対向するガード支持部材３１との間隔が短くなるように取付位置が調整されており、これにより、前記レールブレス２１の押部２４における先端部２４ａ及び下端部２４ｂは、定尺レール１１Ｂの腹部１１ｂの側面及び底部１１ｃの上面を強く押さえる。したがって、定尺レール１１Ｂは、前記レールブレス２１と、該レールブレス２１と協働する前記ガード支持部材３１とによって、両側から挟持されて強固に支持され、横方向のみならず、長手方向にも変位不能な状態で前記まくらぎ１５に取り付けられる。
【００２８】
一方、互いに隣接する一対のまくらぎ１５のうちのロングレール１１Ａ側のまくらぎ１５に床板４１を介して取り付けられたレールブレス２１は、ロングレール１１Ａとの距離、すなわち、対向するガード支持部材３１との間隔が比較的長くなるように取付位置が調整されており、これにより、前記レールブレス２１の押部２４における先端部２４ａ及び下端部２４ｂは、ロングレール１１Ａの腹部１１ｂの側面及び底部１１ｃの上面を緩く押さえるか、或いは、図４（ａ）に示されるように、前記腹部１１ｂの側面及び／又は底部１１ｃの上面に接触しない状態となる。したがって、ロングレール１１Ａは、前記レールブレス２１と、該レールブレス２１と協働する前記ガード支持部材３１とによって、両側から緩く挟持されて緩く支持されるので、横方向にはほぼ変位不能であるが、長手方向には変位可能な状態で前記まくらぎ１５に取り付けられる。
【００２９】
このように、本実施の形態におけるレール支持装置は、互いに隣接する一対のまくらぎ１５のそれぞれに取り付けられるレールブレス２１とガード支持部材３１とを備える。そして、まくらぎ１５の一方と他方との間に定尺レール１１Ｂとロングレール１１Ａとの継目の遊間１２が位置するように、まくらぎ１５の一方の上に定尺レール１１Ｂが敷設され、まくらぎ１５の他方の上にロングレール１１Ａが敷設され、まくらぎ１５の一方に取り付けられるレールブレス２１とガード支持部材３１とは、互いに対向して配設され、定尺レール１１Ｂを両側から挟持して定尺レール１１Ｂを長手方向に変位不能に支持し、まくらぎ１５の他方に取り付けられるレールブレス２１とガード支持部材３１とは、互いに対向して配設され、ロングレール１１Ａを両側から挟持してロングレール１１Ａを長手方向に変位可能に支持する。
【００３０】
これにより、簡素な構成で、かつ、低コストでありながら、ロングレール１１Ａの伸縮を効果的に吸収することができる。
【００３１】
また、ガイド支持部材３１は、継目の遊間１２の全範囲に対向して配設されたガード材１３を支持する。これにより、継目における鉄道車両の脱線を確実に防止することができる。
【００３２】
さらに、ガード材１３は定尺レール１１Ｂに固定されている。これにより、ガード材１３は、ロングレール１１Ａに固定される必要がなく、ロングレール１１Ａの伸縮を阻害することがない。
【００３３】
さらに、レールブレス２１とガード支持部材３１とはまくらぎ１５の上面に取り付けられた床板４１に取り付けられ、レールブレス２１は、対向するガード支持部材１５との間隔が調整可能であるように床板４１に取り付けられる。これにより、定尺レール１１Ｂ側のまくらぎ１５に床板４１を介して取り付けられたレールブレス２１とガード支持部材３１との間隔を短くし、レールブレス２１とガード支持部材３１とによって定尺レール１１Ｂを両側から挟持して長手方向に変位不能に支持するとともに、ロングレール１１Ａ側のまくらぎ１５に床板４１を介して取り付けられたレールブレス２１とガード支持部材３１との間隔を比較的長くし、レールブレス２１とガード支持部材３１とによってロングレール１１Ａを両側から緩く挟持して長手方向に変位可能に支持することができる。
【００３４】
さらに、床板４１は、一対のまくらぎ１５の両方に跨がってまくらぎ１５の上面に取り付けられる。これにより、一対のまくらぎ１５同士の間隔が安定的に保持され、定尺レール１１Ｂ側のまくらぎ１５に取り付けられたレールブレス２１及びガード支持部材３１と、ロングレール１１Ａ側のまくらぎ１５に取り付けられたレールブレス２１及びガード支持部材３１との間隔も安定的に保持される。
【００３５】
さらに、ガード支持部材３１は、床板４１の上面に取り付けられる基板３２を含み、基板３２の先端にはレール１１の底部１１ｃの幅方向の一端を押さえるレール底押部３２ａが形成されている。なお、レール底押部３２ａは、レール１１の底部１１ｃの幅方向の一端が進入可能な切欠凹部３２ａ１と、切欠凹部３２ａ１の上側を覆う庇部３２ａ２とを含んでいる。これにより、レール１１の底部１１ｃがガード支持部材３１によって確実に支持される。
【００３６】
次に、第２の実施の形態について説明する。なお、前記第１の実施の形態と同じ構造を有するものについては、同じ符号を付与することによってその説明を省略する。また、前記第１の実施の形態と同じ動作及び同じ効果についても、その説明を省略する。
【００３７】
図６は第２の実施の形態におけるレール支持装置を示す平面図、図７は第２の実施の形態におけるレール支持装置を示す斜視図、図８は第２の実施の形態におけるレール支持装置の断面図である。なお、図８において、（ａ）は図６におけるＥ−Ｅ矢視断面図、（ｂ）は図６におけるＦ−Ｆ矢視断面図である。
【００３８】
本実施の形態において、ロングレール１１Ａと定尺レール１１Ｂとの継目部分を支えるまくらぎ１５は、いわゆる「合成まくらぎ」であって、ガラス長繊維と硬質発砲ウレタンとで構成される複合材料の板を何枚か蓄層してまくらぎ形状に形成したものである。なお、前記まくらぎ１５は、前記第１の実施の形態におけるまくらぎ１５よりも短く形成されている。
【００３９】
また、互いに隣接する一対のまくらぎ１５同士は、連結部１５ａによって一体的に連結されている。これにより、一対のまくらぎ１５同士の間隔が安定的に保持される。
【００４０】
なお、前記第１の実施の形態の図１においては、ロングレール１１Ａが継目の遊間１２の右側に位置し、定尺レール１１Ｂが継目の遊間１２の左側に位置するように描画されているが、本実施の形態の図６においては、ロングレール１１Ａが継目の遊間１２の左側に位置し、定尺レール１１Ｂが継目の遊間１２の右側に位置するように描画されている。
【００４１】
また、その他の点の構成、作用及び効果については、前記第１の実施の形態と同様であるので、その説明を省略する。
【００４２】
次に、第３の実施の形態について説明する。なお、第１及び第２の実施の形態と同じ構造を有するものについては、同じ符号を付与することによってその説明を省略する。また、前記第１及び第２の実施の形態と同じ動作及び同じ効果についても、その説明を省略する。
【００４３】
図９は第３の実施の形態におけるレール支持装置を示す斜視図である。
【００４４】
本実施の形態において、床板４１は、互いに隣接する一対のまくらぎ１５に跨がる程の大きさのものでなく、前記一対のまくらぎ１５の各々の上面にそれぞれ取り付けられる程度の大きさの板材である。
【００４５】
なお、その他の点の構成、作用及び効果については、前記第２の実施の形態と同様であるので、その説明を省略する。
【００４６】
また、本明細書の開示は、好適で例示的な実施の形態に関する特徴を述べたものである。ここに添付された特許請求の範囲内及びその趣旨内における種々の他の実施の形態、修正及び変形は、当業者であれば、本明細書の開示を総覧することにより、当然に考え付くことである。
【産業上の利用可能性】
【００４７】
本開示は、レール支持装置に適用することができる。
【符号の説明】
【００４８】
１１Ａ    ロングレール
１１Ｂ    定尺レール
１１ｃ    底部
１２    遊間
１３    ガード材
１５    まくらぎ
２１    レールブレス
３１    ガード支持部材
３２    基板
３２ａ    レール底押部
３２ａ１    切欠凹部
３２ａ２    庇部
４１    床板
【図１】
2020147935.tif 000003
【図２】
2020147935.tif 000004
【図３】
2020147935.tif 000005
【図４】
2020147935.tif 000006
【図５】
2020147935.tif 000007
【図６】
2020147935.tif 000008
【図７】
2020147935.tif 000009
【図８】
2020147935.tif 000010
【図９】
2020147935.tif 000011